(57)【要約】【課題】尻栓を螺着した釣竿であって、度当て部による十分な回り止めを確保でき、尻栓の緩みを防止できる釣竿を提供する。【解決手段】本発明の一実施形態に係る釣竿１は、着脱可能に螺着した尻栓１０を有する。釣竿１および尻栓１０には、釣竿１に尻栓１０を螺着した時に釣竿１と尻栓１０とが互いに当接する度当て部２０，３０が設けられる。この場合、度当て部２０，３０は、互いに当接した状態で凹凸係合するように形成されている。【選択図】  図３
2011067191.tif 000002
【特許請求の範囲】
【請求項１】
着脱可能に螺着した尻栓を有する釣竿において、前記釣竿および前記尻栓にはそれぞれ、前記釣竿に前記尻栓を螺着した時に互いに当接する度当て部が設けられ、前記度当て部は、互いに当接した状態で凹凸係合するように形成されていることを特徴とする釣竿。
【請求項２】
前記尻栓の度当て部は、釣竿に尻栓を螺着した時に撓む材料で形成されていることを特徴とする請求項１に記載の釣竿。
【請求項３】
前記釣竿の度当て部が切り欠きにより凹凸状に形成されていることを特徴とする請求項１または請求項２に記載の釣竿。
【請求項４】
前記尻栓の度当て部が凹凸状に形成されていることを特徴とする請求項１ないし請求項３のいずれか１項に記載の釣竿。
【請求項５】
前記尻栓を螺着したときに、前記尻栓を締め付ける方向よりも緩める方向の方が、前記凹凸係合による抵抗が大きいことを特徴とする請求項１ないし請求項４のいずれか１項に記載の釣竿。
【発明の詳細な説明】
【技術分野】
【０００１】
本発明は、着脱可能に螺着した尻栓を有する釣竿に関する。
【背景技術】
【０００２】
釣竿においては、従来から、竿杆内へのゴミや水の浸入を防止するため、また、順次に収納された竿杆の脱落を防止するため、釣竿（元竿）の後端部に尻栓が取り付けられている。
【０００３】
例えば、特許文献１に開示された尻栓付きの釣竿にあっては、釣竿の後端部の内側に螺子部（雌ねじ）が形成されており、尻栓の中央部に突設された螺子突起部（雄ねじ）を釣竿の前記螺子部（雌ねじ）に螺合することにより、尻栓が釣竿に取り付けられる。
【０００４】
この特許文献１に開示された尻栓は、釣竿に螺着された時に、その螺子突起部の周囲の度当て面が釣竿側の度当て面に当接するようになっている。
【先行技術文献】
【特許文献】
【０００５】
【特許文献１】特開昭５４−１８２３９１号公報
【発明の概要】
【発明が解決しようとする課題】
【０００６】
しかしながら、特許文献１に開示された尻栓付きの釣竿においては、管状の竿杆の端面などが釣竿側の度当て面となっているため、度当て面を広く確保することが難しく、また、その度当て面が平面状を成している。したがって、尻栓側の度当て面を釣竿側の度当て面に当接させても度当て面による回り止めを十分に行なうことができない。そのため、尻栓が緩む可能性がある。
【０００７】
本発明は、前記事情に着目してなされたものであり、その目的とするところは、尻栓を螺着した釣竿であって、度当て部による十分な回り止めを確保でき、尻栓の緩みを防止できる釣竿を提供することにある。
【課題を解決するための手段】
【０００８】
前記課題を解決するために、請求項１に記載の発明は、着脱可能に螺着した尻栓を有する釣竿において、前記釣竿および前記尻栓にはそれぞれ、前記釣竿に前記尻栓を螺着した時に互いに当接する度当て部が設けられ、前記度当て部は、互いに当接した状態で凹凸係合するように形成されていることを特徴とする。
【０００９】
この請求項１に記載の発明によれば、釣竿に尻栓を螺着した時に、釣竿および尻栓の度当て部同士が凹凸係合状態で当接するため、度当て部による摩擦が大きくなり、釣竿に螺着した尻栓が移動（回動）し難くなる（度当て部による十分な回り止めを確保できる）。したがって、尻栓の緩みが防止される。このような構成は、特に竿杆の肉厚が薄いために竿杆の端面に度当て部を広く確保できない場合でも十分な回り止め効果を得ることができるため有益である。
【００１０】
なお、上記構成において、前記度当て部は、互いに当接した状態で凹凸係合するように形成されていれば良く、必ずしも一方の度当て部に凸部を設け且つ他方の度当て部に凹部を設けてこれらの凹凸を係合させる必要はない。例えば、一方の度当て部の凸部が当接時の圧接力により例えば平面状の他方の度当て部に食い込むことで結果的に凹凸係合しても良く、あるいは、例えば平面状の一方の度当て部が当接時の圧接力により他方の度当て部の凹部に食い込むことで結果的に凹凸係合しても良く、要は、当接状態で結果的に凹凸係合すれば、度当て部の材質および形態（形状）はどのようなものであっても良い。
【００１１】
また、請求項２に記載の発明は、請求項１に記載の発明において、尻栓の度当て部は、釣竿に尻栓を螺着した時に撓む材料で形成されていることを特徴とする。
【００１２】
この請求項２に記載の発明によれば、請求項１に記載の発明と同様の作用効果が得られるとともに、尻栓の度当て部が釣竿に対する螺着時に撓むようになっているため、度当て部の当接状態での凹凸係合を更に促進させることができ（釣竿の度当て部に凹部または凸部が設けられている場合には、この凹凸部に対して尻栓の度当て部が食い込み）、したがって、釣竿に螺着した尻栓の移動（回動）を更に困難ならしめることができる。そのため、尻栓の緩み防止効果を更に高めることができる。
【００１３】
また、請求項３に記載の発明は、請求項１または請求項２に記載の発明において、釣竿の度当て部が切り欠きにより凹凸状に形成されていることを特徴とする。
【００１４】
この請求項３に記載の発明によれば、請求項１または請求項２に記載の発明と同様の作用効果が得られるとともに、釣竿の度当て部が切り欠きにより凹凸状に形成されているため、特に竿杆の肉厚が薄いために竿杆の端面に度当て部を広く確保できないでも、度当て部の当接状態での凹凸係合を更に促進させることができ、十分な回り止め効果を得ることができる。
【００１５】
また、請求項４に記載の発明は、請求項１ないし請求項３のいずれか１項に記載の発明において、尻栓の度当て部が凹凸状に形成されていることを特徴とする。
【００１６】
この請求項４に記載の発明によれば、請求項１ないし請求項３のいずれか１項に記載の発明と同様の作用効果が得られるとともに、尻栓の度当て部が凹凸状に形成されているため、度当て部の当接状態での凹凸係合を更に促進させることができ、十分な回り止め効果を得ることができる。
【００１７】
また、請求項５に記載の発明は、請求項１ないし請求項４のいずれか１項に記載の発明において、前記尻栓を螺着したときに、前記尻栓を締め付ける方向よりも緩める方向の方が、前記凹凸係合による抵抗が大きいことを特徴とする。
【００１８】
この請求項５に記載の発明によれば、請求項１ないし請求項４のいずれか１項に記載の発明と同様の作用効果が得られるとともに、尻栓を締め付けた際、緩める方向の抵抗が大きいことから、両者の度当て部の当接状態において、尻栓の緩みをより確実に防止することができる。
【発明の効果】
【００１９】
本発明によれば、尻栓を螺着した釣竿であって、度当て部による十分な回り止めを確保でき、尻栓の緩みを防止できる釣竿を提供することができる。
【図面の簡単な説明】
【００２０】
【図１】（ａ）は本発明の第１の実施形態に係る釣竿の概略側面図、（ｂ）は（ａ）のＡ部の拡大図である。
【図２】図１の釣竿および尻栓の要部断面図であって、尻栓を釣竿に対して螺着する前の状態を示す断面図である。
【図３】図１の釣竿に対して尻栓を螺着した状態を示す要部断面図である。
【図４】（ａ）は本発明の第２の実施形態に係る釣竿の概略側面図、（ｂ）は（ａ）のＢ部の拡大図である。
【図５】図４の釣竿および尻栓の要部断面図であって、尻栓を釣竿に対して螺着する前の状態を示す断面図である。
【図６】本発明の第３の実施形態に係る釣竿の概略側面図である。
【図７】図６の釣竿および尻栓の要部断面図であって、尻栓を釣竿に対して螺着する前の状態を示す断面図である。
【図８】図６の釣竿に対して尻栓を螺着した状態を示す要部断面図である。
【図９】本発明の第４の実施形態に係る釣竿および尻栓の要部断面図であって、尻栓を釣竿に対して螺着する前の状態を示す断面図である。
【図１０】図１０に示す尻栓を長手軸方向から見た図である。
【図１１】尻栓と釣竿（握持部）の各度当て部の凹凸係合状態を示す図である
【図１２】本発明の第５の実施形態に係る釣竿および尻栓の要部断面図であって、尻栓を釣竿に対して螺着する前の状態を示す断面図である。
【図１３】図１２の釣竿に対して尻栓を螺着した状態を示す要部断面図である。
【発明を実施するための形態】
【００２１】
以下、本発明に係る釣竿の実施形態について、添付図面を参照して具体的に説明する。
【００２２】
図１ないし図３は本発明の第１の実施形態を示している。図１に示されるように、本実施形態の釣竿１は、複数の管状の竿杆２が順次に収納された振り出し竿の形態を成しており、管状の竿杆２は繊維強化樹脂等の合成樹脂により形成される。
【００２３】
複数の竿杆２のうちの最も後端側の元竿２ａの後端部には尻栓１０が着脱自在に螺合される。具体的には、元竿２ａには、その後端部から釣竿１の長手方向軸Ｏに沿って延びる螺子部を有する螺子孔２１が形成されており、この螺子孔２１に尻栓１０が着脱可能に螺合される。
【００２４】
尻栓１０は、キャップ形状の栓本体１２と、栓本体１２から前方（釣竿１の長手方向軸Ｏに沿う釣竿方向）に突出する螺子杆１６とを有しており、栓本体１２には、その周縁部に沿って螺子杆１６を１周するように前方を向いた度当て部（度当て面）１５が形成されている。
【００２５】
栓本体１２は、合成樹脂、ゴム等の可撓性を有する材料（例えば、ポリエチレン、ポリプロピレン、シリコン、ニトリルゴム、ブタジエンゴム、天然ゴムなど）から形成され、また、螺子杆１６は、金属や合成樹脂等の栓本体１２よりも硬い材料（例えば、鉄、ステンレス、ＡＢＳ樹脂、ポリカーボネート、塩化ビニル）で歪み難く形成される（無論、栓本体１２と螺子杆１６とが同一の材料から形成されていても良い）。また、螺子杆１６の前端には、元竿２ａ内に収納される竿杆２の後端と当接するストッパ１９が設けられている。
【００２６】
螺子杆１６は、その後端部が栓本体１２に嵌合して保持されており、栓本体１２と一体に度当て部（度当て面）１５を形成している。度当て部１５は、釣竿１の長手方向軸Ｏに対して直交する方向の平面１５ａと、螺子杆１６を囲む度当て部１５に沿って適当な間隔を隔てて栓本体１２から一体に前方に向けて突設される突部１３とを有し、度当て部１５および突部１３は共に可撓性を有している。
【００２７】
一方、釣竿１の後端は、管状の竿杆２の後方部（元竿２ａの端面）２５が尻栓１０に対する度当て部（度当て面）となっており、この度当て部２５は適当な間隔で釣竿１の前方側へ切り欠かれた凹部２３を有している。つまり、一般に、竿杆２の後方の端面にあっては、竿杆２の肉厚が薄いため、度当て部（度当て面）をあまり広く確保できない。したがって、竿杆２の後方の端面を凹状に研磨して切り欠きを形成し、この切り欠きを凹部２３、切り欠きを設けていない部分を突部として、この円形に形成された釣竿１の度当て部２５を凸と凹とが交互に形成された凹凸状の形態としている。なお、凹部２３は１つでも複数設けても良い（図では、複数）。また、この釣竿１の度当て部（度当て面）２５の切り欠き（凹部２３）と尻栓１０の突部１３は互いに対向位置して設けられており、互いの凹凸同士が同時に係合するようになっている。さらに、釣竿１の度当て部２５と尻栓１０の度当て部１５は、釣竿１に尻栓１０を螺着した時に互いに釣竿１の長手方向軸Ｏの方向に対向して配され、釣竿１の長手方向軸Ｏの方向に互いに離れたり近づいたりして、対向して当接して尻栓１０の螺合による移動を規制するようになっている。
【００２８】
したがって、以上のような構成において、釣竿１への尻栓１０の装着は、釣竿１（元竿２ａ）の後端の螺子孔２１に尻栓１０の螺子杆１６を差し込んで、元竿２ａの後端の度当て部２５と螺子杆１６の周囲の度当て部１５とが互いに当接するまで栓本体１２を回動させて、螺子杆１６を螺子孔２１に螺合させることによって達成される。この時、栓本体１２は、両者の度当て部１５，２５が近づくと、両者の凹凸部１３，２３同志が当たりながら回動するが、少なくとも尻栓１０（栓本体１２）の凹凸部（突部１３によって螺子杆１６の周囲に形成される凹凸）が可撓性を有するため（これに加えて、元竿２ａの凹凸部（凹部２３によって元竿２ａの後端に形成される凹凸）も可撓性を有しても良い）、この可撓性を有する凹凸部が撓んで変形し、また、螺子杆１６と螺子孔２１との螺合時のクリアランスによって元竿２ａ側の凹凸（凹部２３によって元竿２ａの後端に形成される凹凸）を避けながらこれに次第に深く係合していく。そして、度当て部１５，２５同志が当接した時点で栓本体１２の回動が阻止され、それにより、尻栓１０が元竿２ａに対して装着される。また、この時、度当て部１５，２５同士は強固に密着し、そのため、水やゴミが浸入しにくい。ただし、本実施形態では、尻栓１０の栓本体１２がその可撓性により元竿２ａの後端にシール状態で圧接するシール材の機能も兼ね備えており、したがって、パッキン等の別個のシール材を設ける必要がなくなる。なお、尻栓１０の突部１３は可撓性を有していなくても、度当て部（面）１５が可撓性を有していれば、突部１３を凹部２３に係合することができる。
【００２９】
以上のように、本実施形態によれば、釣竿１に尻栓１０を螺着した時に、釣竿１および尻栓１０の度当て部１５，２５同士が凹凸係合状態で当接するため、度当て部１５，２５による摩擦が大きくなり、釣竿１に螺着した尻栓１０が移動（回動）し難くなる（度当て部１５，２５による十分な回り止めを確保できる）。したがって、尻栓の緩みが防止され、ゴミが侵入し難い。また、凹凸が係合していると、水が浸入しても緩み難い。なお、凹部２３は浅く形成しても尻栓１０の度当て部１５が撓んで凹凸係合すれば良い。例えば、凹部２３は０．１ｍｍ以上の深さに形成し、また、その幅を大きくして度当て部２５を波状や畝状に形成しても良い。
【００３０】
また、本実施形態では、尻栓１０の度当て部１５が釣竿１に対する螺着時に撓むようになっているため、度当て部１５，２５の当接状態での凹凸係合を更に促進させることができ（釣竿１の凹凸部に対して尻栓１０の度当て部１５が食い込み）、したがって、釣竿１に螺着した尻栓１０の移動（回動）を更に困難ならしめることができる。そのため、尻栓１０の緩み防止効果を更に高めることができる。
【００３１】
また、本実施形態では、釣竿１の度当て部２５が切り欠きにより凹凸状に形成されており、特に竿杆１の肉厚が薄いために竿杆２の端面に度当て部２５を広く確保できない場合でも、度当て部１５，２５の当接状態での凹凸係合を更に促進させることができ、十分な回り止め効果を得ることができる。更に、本実施形態では、尻栓１０の度当て部１５も凹凸状に形成されているため、度当て部１５，２５の当接状態での凹凸係合を飛躍的に促進させることができ、強固な回り止め効果を得ることができる。なお、尻栓１０の度当て部１５は可撓性によって撓むため突部１３を有していない平面状に形成しても尻栓１０の釣竿１への螺合装着によって元竿２ａの度当て部２５に押圧されて撓み、凹部２３に食い込むように突出して凹凸係合する。この時の凹凸係合は、度当て部１５が凹部２３に完全に入り込んでも良いが、凹部２３に向けて凸状に変形して僅かに入り込んでいるだけでも良い。
【００３２】
図４および図５は本発明の第２の実施形態を示している。本実施形態の釣竿１Ａは第１の実施形態の変形例であり、第１の実施形態における尻栓１０の突部１３の代わりに度当て部１５に沿って配設されるパッキン３５を設け、また、螺子杆１６と栓本体１２とを一体に形成している。この場合、パッキン３５は、度当て部１５の一部を形成しており、可撓性材料から成る。なお、それ以外の構成は第１の実施形態と同一であり、したがって、同一符号を付してその説明を省略する。
【００３３】
このような構成では、パッキン３５を含む度当て部１５，２５同士が当接するように尻栓１０を釣竿１の螺子孔２１に完全に螺着すると、第１の実施形態における突部１３と凹部２３との係合と同様の形態で、尻栓１０側の凸部としてのパッキン３５が釣竿１側の凹部２３に食い込むように係合し、第１の実施形態と同様の作用効果が得られる。なお、この時の係合は、パッキン３５が凹部２３を完全に埋めるように変形（参照符号３５ａ参照）しても良いが、凹部２３に対応して凹部２３内に向けて僅かに突出するように変形して係合していれば良い。
【００３４】
図６ないし図８は本発明の第３の実施形態を示している。図示のように、本実施形態の釣竿１Ｂも、複数の竿杆２が順次に収納された振り出し竿の形態を成しており、元竿２ａの後端外周の螺子部２９に尻栓５０が被嵌するように螺合装着される。
【００３５】
元竿２ａの後端面（度当て部２５）には、第１の実施形態と同様に切り欠きにより凹部２３が形成されている。一方、尻栓５０のキャップ形状の栓本体５１は、金属によって形成されており、元竿２ａの後端外周の螺子部２９に螺合する螺子孔５７を有する。また、栓本体５１には、その内側底部にゴムや合成樹脂等の可撓性材料から成る度当て部材５３が取り付けられている。この度当て部材５３は、元竿２ａの度当て部２５に当接する度当て部５６を形成し且つ栓本体５１の底部に嵌合する第１の嵌合部５３ａと、元竿２ａの内側に嵌合する第２の嵌合部５３ｂとから成り、第２の嵌合部５３ｂの周囲には元竿２ａの凹部２３に係合する複数の半球状の係合突起５５が周方向に所定の間隔を隔てて形成されている。なお、係合突起５５は度当て部（面）５６から延設されている。
【００３６】
このような構成では、尻栓５０を元竿２ａの後端部外周に螺合すると、元竿２ａの後端部の度当て部２５に度当て部材５３の度当て部５６が変形しながら当接し、係合突起５５が変形しながら元竿２ａの凹部２３に係合して尻栓５０の緩みが防止される（図８参照）。
【００３７】
図９ないし図１１は本発明の第４の実施形態を示している。
この実施形態の釣竿１Ｃは、管状の竿杆（元竿２ａ）の後端外周に、コルクなどの木材、ウレタン、繊維強化樹脂などの合成樹脂、ゴム等の材料で構成される握持部６０を被着しており、そのような握持部６０に、上述した実施形態と同様な度当て部２５、及び螺子孔２１を形成している。すなわち、釣竿側の度当て部については、竿杆そのものに形成する以外にも、竿杆に被着される握持部に形成されたものであっても良い。
【００３８】
前記度当て部２５は、握持部６０の後端面に周方向に沿って形成されており、その部分には、周方向に連続して凹凸部６３が形成されている。一方、螺子孔２１に螺入される尻栓１０には、中央に突出形成された螺子杆１６の周囲に度当て部１５が形成されており、その部分には、周方向に連続して凹凸部６５が形成されている。
【００３９】
前記釣竿１Ｃに被着された握持部６０の度当て部２５に形成された凹凸部６３と、尻栓１０の度当て部に形成された凹凸部６５は、上述した実施形態と同様、尻栓１０を螺子孔２１に螺着した際、互いに当接した状態で凹凸係合する。そして、このような凹凸係合に際しては、尻栓１０を螺着したときに、尻栓１０を締め付ける方向よりも緩める方向の方が、前記凹凸係合による抵抗が大きくなるように構成されている。
【００４０】
具体的には、尻栓１０の度当て部１５に連続形成される凹凸部６５を構成する凸部分は、図１０及び図１１に示すように、緩い傾斜面６５ａと急な傾斜面６５ｂで構成されており、締め付け方向Ｄ１では、頂部Ｐからなだらかに下降する緩い傾斜面６５ａとされ、緩み方向Ｄ２では、頂部Ｐからアンダーカット状に急に下降する急な傾斜面６５ｂによって構成されている。一方、度当て部１５の凹凸部６５と凹凸係合する握持部６０の度当て部２５に形成された凹凸部６３についても、図１１に示すように、緩い傾斜面６３ａと急な傾斜面６３ｂで構成されており、緩み方向Ｄ２では、頂部Ｐ１からなだらかに下降する緩い傾斜面６５ａとされ、締め付け方向Ｄ１では、頂部Ｐ１からアンダーカット状に急に下降する急な傾斜面６５ｂによって構成されている。
【００４１】
上記したような凹凸係合によれば、尻栓１０を釣竿１Ｃの握持部６０に螺着する際、尻栓１０の締め付け方向Ｄ１では、尻栓側の緩い傾斜面６５ａは、握持部側の緩い傾斜面６３ａを容易に乗り越える（尻栓の回動に伴って互いの凸部分を変形させながら容易に乗り越える）ことができ、締め付け操作を容易に行えるようになる。これに対して、尻栓１０が螺着されると、尻栓１０の緩み方向Ｄ２では、両者の急斜面同士（６５ａ，６３ａ）が係合して、上記のように容易に乗り越えることができないため、尻栓１０は、緩み止めされた状態となる。すなわち、本実施形態によれば、度当て部同士の凹凸係合による回り止め機能が得られると共に、より確実に尻栓１０の緩みを防止することが可能となる。  
なお、凹凸部６５のそれぞれの深さ、高さは、０．１〜５ｍｍにすると良い。
【００４２】
図１２および図１３は本発明の第５の実施形態を示している。  
この実施形態の釣竿１Ｄは、上述した第１の実施形態と同様、管状の竿杆（元竿２ａ）の後端外周に凹部２３を形成したものである。この凹部２３は、尻栓１０の締め付け方向Ｄ１では、緩い傾斜面２３ａとなっており、尻栓１０の緩み方向Ｄ２では、急な傾斜面２３ｂとして構成されている。
【００４３】
このような凹部２３の形状であっても、上述した第１の実施形態と同様、尻栓１０を締め付けてくと、尻栓側の突部１３が、元竿２ａの凹部２３内に係合し、尻栓１０が元竿２ａに対して装着される（図１３参照）。なお、このときの締め付け力は、突部１３が緩い傾斜面２３ａを駆け上がることから、第１の実施形態と比べると、多少弱くなる。そして、尻栓１０を締め付けてしまうと(尻栓を釣竿に螺着すると)、突部１３は、緩み方向Ｄ２において、急な傾斜面２３ｂによって回動し難くなっていることから、図９ないし図１１で示した実施形態と同様、より確実に尻栓１０の緩みを防止することが可能となる。
【符号の説明】
【００４４】
１，１Ａ，１Ｂ，１Ｃ，１Ｄ  釣竿
１０，５０  尻栓
１３，２３，３５，５５，６３，６５  凹凸部
１５，２５，５６  度当て部
【図１】
2011067191.tif 000003
【図２】
2011067191.tif 000004
【図３】
2011067191.tif 000005
【図４】
2011067191.tif 000006
【図５】
2011067191.tif 000007
【図６】
2011067191.tif 000008
【図７】
2011067191.tif 000009
【図８】
2011067191.tif 000010
【図９】
2011067191.tif 000011
【図１０】
2011067191.tif 000012
【図１１】
2011067191.tif 000013
【図１２】
2011067191.tif 000014
【図１３】
2011067191.tif 000015